(57)【要約】【課題】スクロール部材の端板の径を小さくすることができる同期駆動機構を備えた両両回転スクロール型圧縮機を提供する。【解決手段】駆動側スクロール部材７と従動側スクロール部材９とが同じ方向に同一角速度で自転運動するように駆動力を伝達するピンリング機構１５とを備えている。駆動側端板７ｂには、リング部材１５ａが挿入されて設置されるリング部材設置穴１６が形成され、リング部材設置穴１６は、反壁体側表面Ｓ１から形成され、リング部材１５ａの外径に対応する径とされた反壁体側穴部と、壁体側表面Ｓ２から形成され、リング部材１５ａの外径よりも小さい径とされた壁体側穴部とを備えている。【選択図】図３
2018100640.tif 000002
【特許請求の範囲】
【請求項１】
駆動部によって回転駆動され、駆動側端板に配置された渦巻状の駆動側壁体を有する駆動側スクロール部材と、
従動側端板に配置され、前記駆動側壁体に対応する従動側壁体を有し、該従動側壁体が前記駆動側壁体に対して噛み合わされることによって圧縮空間を形成する従動側スクロール部材と、
前記駆動側スクロール部材と前記従動側スクロール部材とが同じ方向に同一角速度で自転運動するように前記駆動側スクロール部材から前記従動側スクロール部材に駆動力を伝達する同期駆動機構と、
を備え、
前記同期駆動機構は、前記駆動側壁体及び／又は前記従動側壁体に固定され、対向する前記従動側端板及び／又は前記駆動側端板に向けて突出するピン部材と、前記駆動側端板及び／又は前記従動側端板に固定され、前記ピン部材に接触する内周面を有するリング部材と、を備え、
前記駆動側端板及び／又は前記従動側端板には、前記リング部材が挿入されて設置されるリング部材設置穴が形成され、
該リング部材設置穴は、前記駆動側端板及び／又は前記従動側端板の前記駆動側壁体及び／又は前記従動側壁体が設置されていない反壁体側表面から形成され、前記リング部材の外径に対応する径とされた反壁体側穴部と、前記駆動側端板及び／又は前記従動側端板の前記駆動側壁体及び／又は前記従動側壁体が設置された壁体側表面から形成され、前記リング部材の外径よりも小さい径とされた壁体側穴部とを備えていることを特徴とする両回転スクロール型圧縮機。
【請求項２】
前記駆動側壁体は、前記駆動側端板の中心回りに所定角度間隔を有して複数配置され、
前記従動側壁体は、前記従動側端板の中心回りに所定角度間隔を有して各前記駆動側壁体に対応する数だけ配置され、
前記ピン部材は、前記駆動側壁体及び／又は前記従動側壁体の巻き終わりから、π（ｒａｄ）を前記駆動側壁体または前記従動側壁体の数で除した角度までの範囲に設けられていることを特徴とする請求項１に記載の両回転スクロール型圧縮機。
【請求項３】
前記ピン部材は、前記駆動側壁体及び／又は前記従動側壁体の巻き終わりの位置を除いた角度範囲に設けられていることを特徴とする請求項２に記載の両回転スクロール型圧縮機。
【請求項４】
前記ピン部材は、前記駆動側壁体及び前記従動側壁体の両方に設けられていることを特徴とする請求項１から３のいずれかに記載の両回転スクロール型圧縮機。
【発明の詳細な説明】
【技術分野】
【０００１】
本発明は、両回転スクロール型圧縮機に関するものである。
【背景技術】
【０００２】
従来より、両回転スクロール型圧縮機が知られている（特許文献１参照）。これは、駆動側スクロールと、駆動側スクロールと共に同期して回転する従動側スクロールとを備え、駆動側スクロールを回転させる駆動軸に対して、従動側スクロールの回転を支持する従動軸を旋回半径分だけオフセットして、駆動軸と従動軸とを同じ方向に同一角速度で回転させている。そして、駆動側スクロール部材と従動側スクロール部材とが同じ方向に同一角速度で自転運動するように、駆動側スクロール部材から従動側スクロール部材に駆動力を伝達する同期駆動機構が設けられている。
【先行技術文献】
【特許文献】
【０００３】
【特許文献１】特許第４５５６１８３号公報
【発明の概要】
【発明が解決しようとする課題】
【０００４】
同期駆動機構をスクロール部材の端板に設ける場合、同期駆動機構の設置面積を確保するために、端板の径が大きくなってしまう問題がある。
【０００５】
本発明は、このような事情に鑑みてなされたものであって、スクロール部材の端板の径を小さくすることができる同期駆動機構を備えた両回転スクロール型圧縮機を提供することを目的とする。
【課題を解決するための手段】
【０００６】
上記課題を解決するために、本発明の両回転スクロール型圧縮機は以下の手段を採用する。
すなわち、本発明にかかる両回転スクロール型圧縮機は、駆動部によって回転駆動され、駆動側端板に配置された渦巻状の駆動側壁体を有する駆動側スクロール部材と、従動側端板に配置され、前記駆動側壁体に対応する従動側壁体を有し、該従動側壁体が前記駆動側壁体に対して噛み合わされることによって圧縮空間を形成する従動側スクロール部材と、前記駆動側スクロール部材と前記従動側スクロール部材とが同じ方向に同一角速度で自転運動するように前記駆動側スクロール部材から前記従動側スクロール部材に駆動力を伝達する同期駆動機構とを備え、前記同期駆動機構は、前記駆動側壁体及び／又は前記従動側壁体に固定され、対向する前記従動側端板及び／又は前記駆動側端板に向けて突出するピン部材と、前記駆動側端板及び／又は前記従動側端板に固定され、前記ピン部材に接触する内周面を有するリング部材とを備え、前記駆動側端板及び／又は前記従動側端板には、前記リング部材が挿入されて設置されるリング部材設置穴が形成され、該リング部材設置穴は、前記駆動側端板及び／又は前記従動側端板の前記駆動側壁体及び／又は前記従動側壁体が設置されていない反壁体側表面から形成され、前記リング部材の外径に対応する径とされた反壁体側穴部と、前記駆動側端板及び／又は前記従動側端板の前記駆動側壁体及び／又は前記従動側壁体が設置された壁体側表面から形成され、前記リング部材の外径よりも小さい径とされた壁体側穴部とを備えていることを特徴とする。
【０００７】
駆動側スクロール部材の端板に配置された駆動側壁体と、従動側スクロール部材の対応する従動側壁体とが噛み合わされる。駆動側スクロール部材は、駆動部によって回転駆動され、駆動側スクロール部材に伝達された駆動力は、同期駆動機構を介して従動側スクロール部材に伝達される。これにより、従動側スクロール部材は、回転するとともに駆動側スクロール部材に対して同じ方向に同一角速度で自転運動を行う。このように、駆動側スクロール部材及び従動側スクロール部材の両方が回転する両回転式のスクロール型圧縮機が提供される。
同期駆動機構をピン部材及びリング部材で構成し、リング部材を端板のリング部材設置穴に設置する。リング部材設置穴は、反壁体表面から形成され、リング部材の外径に対応する径を有する反壁体側穴部を備えている。この反壁体側穴部に対して反壁体側からリング部材を挿入して設置する。一方、リング部材設置穴は、壁体側にリング部材の外径よりも小さい径を有する壁体側穴部を備えている。ピン部材は、壁体側穴部を介してリング部材の内周側にピン部材の外周面が接触するように配置される。
壁体側穴部は、圧縮空間を形成する位置に開口すると圧縮効率を低下させるので、小面積とするのが好ましい。一方、反壁体側穴部は、圧縮空間には開口しないので、設置位置の自由度が高い。そこで、壁体側穴部をリング部材の外径よりも小さい径とし、リング部材の外径に対応する径とされた反壁体側穴部よりも小面積とした。これにより、リング部材の外径に対応する径の穴部を壁体側に形成する場合に比べて、リング部材を端板の中心側に位置させることができるので、端板を小さくすることができる。
リング部材としては、例えば、転がり軸受やすべり軸受が用いられる。
【０００８】
さらに、本発明の両回転スクロール型圧縮機では、前記駆動側壁体は、前記駆動側端板の中心回りに所定角度間隔を有して複数配置され、前記従動側壁体は、前記従動側端板の中心回りに所定角度間隔を有して各前記駆動側壁体に対応する数だけ配置され、前記ピン部材は、前記駆動側壁体及び／又は前記従動側壁体の巻き終わりから、π（ｒａｄ）を前記駆動側壁体または前記従動側壁体の数で除した角度までの範囲に設けられていることを特徴とする。
【０００９】
壁体の巻き終わりから、π（ｒａｄ）を一方の端板に設けられた壁体の数で除した角度までの範囲では、壁体の背側（半径方向外側）が対応する壁体と接触しない。したがって、この角度範囲にピン部材を設けることが好ましい。
【００１０】
さらに、本発明の両回転スクロール型圧縮機では、前記ピン部材は、前記駆動側壁体及び／又は前記従動側壁体の巻き終わりの位置を除いた角度範囲に設けられていることを特徴とする。
【００１１】
壁体の巻き終わりの位置を除いた角度範囲にピン部材を設けることで、ピン部材をさらに中心側に位置させることができる。これにより、ピン部材及びリング部材を配置するために端板を大径化せざるを得ない状況を回避することで、端板を小さくすることができる。
【００１２】
さらに、本発明の両回転スクロール型圧縮機では、前記ピン部材は、前記駆動側壁体及び前記従動側壁体の両方に設けられていることを特徴とする。
【００１３】
ピン部材を両方の壁体に振り分けて設置することで、それぞれのスクロール部材にピン部材及びリング部材を設置できる面積が増えるため、ピン部材及びリング部材の総数を多くすることができる。これにより、一対のピン部材及びリング部材が荷重を受け持つ角度範囲が小さくなり、荷重変動や回転変動が低減され、ピン部材及びリング部材に起因する騒音を小さくすることができる。また、それぞれのスクロール部材にピン部材及びリング部材を設置できる面積が増えるため、所望の半径位置にピン部材及びリング部材を設置でき、ピン部材及びリング部材に加わる荷重変動を低減することができる。
【発明の効果】
【００１４】
ピン及びリング部材から構成された同期駆動機構のリング部材を反壁体側から挿入して設置し、壁体側に開口する穴部をリング部材の外径よりも小さい径とすることで、同期駆動機構の設置位置を端板の中心側に位置させることが可能となり、スクロール部材の端板の径を小さくすることができる。
【図面の簡単な説明】
【００１５】
【図１】本発明の一実施形態に係る両回転スクロール型圧縮機を示した縦断面図である。
【図２】図１の従動側スクロール部材を示した平面図である。
【図３】ピンリング機構が配置されたスクロール部材を示した縦断面図である。
【図４】リング部材設置穴を示した部分拡大縦断面図である。
【図５】比較例としてのピンリング機構が配置されたスクロール部材を示した縦断面図である。
【図６】図５の従動側スクロール部材を示した平面図である。
【図７】変形例としての従動側スクロール部材を示した平面図である。
【図８】２条のスクロール部材を噛み合わせた状態を示した図である。
【図９】他の変形例としてのスクロール部材を示した図である。
【発明を実施するための形態】
【００１６】
以下に、本発明にかかる実施形態について、図面を参照して説明する。
［第１実施形態］
以下、本発明の第１実施形態について、図１等を用いて説明する。
図１には、両回転スクロール型圧縮機１が示されている。両回転スクロール型圧縮機１は、例えば車両用エンジン等の内燃機関に供給する燃焼用空気を圧縮する過給機として用いることができる。また、空調機に用いられる冷媒を圧縮するための圧縮機や、列車等のブレーキに用いられる空気を圧縮するための圧縮機用として用いることができる。
【００１７】
両回転スクロール型圧縮機１は、ハウジング３と、ハウジング３の一端側に収容されたモータ（駆動部）５と、ハウジング３の他端側に収容された駆動側スクロール部材７及び従動側スクロール部材９とを備えている。
【００１８】
ハウジング３は、略円筒形状とされており、モータ５を収容するモータ収容部３ａと、スクロール部材７，９を収容するスクロール収容部３ｂとを備えている。
モータ収容部３ａの外周には、モータ５を冷却するための冷却フィン３ｃが設けられている。スクロール収容部３ｂの端部には、圧縮後の空気を吐出するための吐出口３ｄが形成されている。なお、図１では示さされていないが、ハウジング３には空気を吸入する空気吸入口が設けられている。
【００１９】
モータ５は、図示しない電力供給源から電力が供給されることによって駆動される。モータ５の回転制御は、図示しない制御部からの指令によって行われる。モータ５のステータ５ａはハウジング３の内周側に固定されている。モータ５のロータ５ｂは、駆動側回転軸線ＣＬ１回りに回転する。ロータ５ｂには、駆動側回転軸線ＣＬ１上に延在する駆動軸６が接続されている。駆動軸６は、駆動側スクロール部材７と接続されている。
【００２０】
駆動側スクロール部材７は、駆動側端板７ａと、駆動側端板７ａの一側に設置された渦巻状の駆動側壁体７ｂとを有している。駆動側端板７ａは、駆動軸６に接続された駆動側軸部７ｃに接続されており、駆動側回転軸線ＣＬ１に対して直交する方向に延在している。駆動側軸部７ｃは、玉軸受とされた駆動側軸受１１を介してハウジング３に対して回動自在に設けられている。
【００２１】
駆動側端板７ａは、平面視した場合に略円板形状とされている。駆動側スクロール部材７は、渦巻状とされた駆動側壁体７ｂが２つ、すなわち２条備えている。２条とされた駆動側壁体７ｂは、駆動側回転軸線ＣＬ１回りに等間隔にて配置されている。
【００２２】
従動側スクロール部材９は、駆動側スクロール部材７に噛み合うように配置されており、従動側端板９ａと、従動側端板９ａの一側に配置された渦巻状の従動側壁体９ｂとを有している。従動側端板９ａには、従動側回転軸線ＣＬ２方向に延在する従動側軸部９ｃが接続されている。従動側軸部９ｃは、複列の玉軸受けとされた従動側軸受１３を介して、ハウジング３に対して回転自在に設けられている。
【００２３】
図２に示すように、従動側端板９ａは、平面視した場合に略円板形状とされている。従動側スクロール部材９は、渦巻状とされた従動側壁体９ｂが２つ、すなわち２条設けられている。２条とされた従動側壁体９ｂは、従動側回転軸線ＣＬ２回りに等間隔にて配置されている。従動側端板９ａの略中央には、圧縮後の空気を吐出する吐出ポート９ｄが形成されている。この吐出ポート９ｄは、ハウジング３に形成された吐出口３ｄに連通している。
【００２４】
上述の通り、図１に示したように、駆動側スクロール部材７は駆動側回転軸線ＣＬ１周りに回転し、従動側スクロール部材９は従動側回転軸線ＣＬ２回りに回転する。駆動側回転軸線ＣＬ１と従動側回転軸線ＣＬ２とは、圧縮室が形成できる距離だけオフセットされている。
【００２５】
図２及び図３に示すように、駆動側スクロール部材７と従動側スクロール部材９との間には、複数のピンリング機構１５が設けられている。ピンリング機構１５は、両スクロール部材７，９が同じ方向に同一角速度で自転運動するように駆動側スクロール部材７から従動側スクロール部材９に駆動力を伝達する同期駆動機構として用いられる。
【００２６】
ピンリング機構１５は、具体的には、図２に示されているように、玉軸受（転がり軸受）とされたリング部材１５ａと、ピン部材１５ｂとを有している。ピンリング機構１５は、図３に示されているように、駆動側スクロール部材７及び従動側スクロール部材９の両方に振り分けられて設置されている。ピン部材１５ｂは、各壁体９ｂ，７ｂの先端に形成された取付穴に挿入された状態で固定されている。
本実施形態では、それぞれのスクロール部材７，９に対して、リング部材１５ａが２つとピン部材１５ｂが２つ設けられている。各ピン部材１５ｂは、壁体７ｂ，９ｂの外周端となる巻き終わり部に設けられている。リング部材１５ａは、各ピン部材１５ｂから内周側に略９０°ずれた位置に設けられている。
【００２７】
リング部材１５ａは、各端板７ａ，９ａに形成されたリング部材設置穴１６に固定されている。リング部材設置穴１６は、図４に示すように、壁体７ｂ，９ｂが設置されていない端板７ａ，９ａの反壁体側表面Ｓ１に開口し、端板７ａ，９ａの厚さ方向の途中位置まで形成された反壁体側穴部１６ａと、壁体７ｂ，９ｂが設置された端板７ａ，９ａの壁体側表面Ｓ２に開口し、端板７ａ，９ａの厚さ方向の途中位置まで形成された壁体側穴部１６ｂとを備えている。
反壁体側穴部１６ａは、リング部材１５ａの外径に対応する径とされており、リング部材１５ａの外輪が嵌合されるようになっている。
壁体側穴部１６ｂは、リング部材１５ａの外径（外輪の外径）すなわち反壁体側穴部１６ａの内径よりも小さい径とされている。また、壁体側穴部１６ｂの径は、リング部材１５ａの内径（内輪の内径）と同等またはそれよりも大きな径とされている。反壁体側穴部１５ａと壁体側穴部１６ｂとの間の段差に突き当たった位置で、リング部材１５ａが固定される。
【００２８】
ピン部材１５ｂの先端の側周面がリング部材１５ａの内輪の内周面に接触した状態で運動することによって、両スクロール部材７，９同じ方向に同一角速度で自転運動するようになっている。
【００２９】
上記構成の両回転スクロール型圧縮機１は、以下のように動作する。
モータ５によって駆動軸６が駆動側回転軸線ＣＬ１回りに回転させられると、駆動軸６に接続された駆動側軸部７ｃも回転し、これにより駆動側スクロール部材７が駆動側回転軸線ＣＬ１回りに回転する。駆動側スクロール部材７が回転すると、駆動力がピンリング機構１５を介して従動側スクロール部材９へと伝達され、従動側スクロール部材９が従動側回転軸線ＣＬ２回りに回転する。このとき、ピンリング機構１５のピン部材１５ｂがリング部材１５ａに対して接触しつつ移動することによって、両スクロール部材７，９が同じ方向に同一角速度で自転運動を行う。
両スクロール部材７，９が自転旋回運動を行うと、ハウジング３の吸入口から吸い込まれた空気が両スクロール部材７，９の外周側から吸入され、両スクロール部材７，９によって形成された圧縮室に取り込まれる。圧縮室は中心側に移動するにしたがって容積が減少し、これに伴い空気が圧縮される。このように圧縮された空気は、従動側スクロール部材９の吐出ポート９ｄを通り、ハウジング３の吐出口３ｄから外部へと吐出される。吐出された圧縮空気は、図示しない内燃機関へと導かれ、燃焼用空気として用いられる。
【００３０】
以上の通り、本実施形態によれば、以下の作用効果を奏する。
リング部材１５ａを設置するリング部材設置穴１６は、反壁体側表面Ｓ１から形成され、リング部材１５ａの外径に対応する径を有する反壁体側穴部１６ａを備えている。この反壁体側穴部１６ａに対して反壁体側表面Ｓ１側からリング部材１５ａを挿入して設置する。一方、リング部材設置穴１６は、壁体側表面Ｓ２側にリング部材１５ａの外径よりも小さい径を有する壁体側穴部１６ｂを備えている。ピン部材１５ｂは、壁体側穴部１６ｂを介してリング部材１５ａの内周側にピン部材１５ｂの外周面が接触するように配置される。
壁体側穴部１６ｂは、圧縮空間を形成する位置に開口すると圧縮効率を低下させるので、小面積とするのが好ましい。一方、反壁体側穴部１６ａは、圧縮空間には開口しないので、設置位置の自由度が高い。そこで、壁体側穴部１６ｂをリング部材１５ａの外径よりも小さい径とし、リング部材１５ａの外径に対応する径とされた反壁体側穴部１６ａよりも小面積とした。これにより、リング部材１５ａを端板の中心側に位置させることができるので、端板を小さくすることができる。
【００３１】
図５及び図６には、比較例として、リング部材１５ａの外径に対応する径の穴部を壁体側表面Ｓ２に形成した場合が示されている。この場合には、壁体側表面Ｓ２側に径が大きな穴が開口するようになるので、壁体７ｂ，９ｂから離した位置にリング部材設置穴１６’を設けざるを得ない。そうすると、図６に示されているように、リング部材設置穴１６’に対応する位置に半径方向に突出する突出部１７が設けられることになり、端板７ａ，９ａの外径を大きくなってしまう。
【００３２】
ピン部材１５ｂを両方の壁体７ｂ，９ｂに振り分けて設置することした。これにより、それぞれのスクロール部材７，９にピンリング機構１５を設置できる面積が増え、ピンリング機構１５の総数を多くすることができる。これにより、一つのピンリング機構１５が荷重を受け持つ角度範囲が小さくなり、荷重変動や回転変動が低減され、ピンリング機構１５に起因する騒音を小さくすることができる。また、それぞれのスクロール部材７，９にピンリング機構１５を設置できる面積が増えるため、所望の半径位置にピンリング機構１５を設置でき、ピンリング機構１５に加わる荷重変動を低減することができる。
【００３３】
例えば、図７に示すように、ピンリング機構１５を８つ設けることとしても良い。同図では従動側スクロール部材９が示されており、リング部材１５ａが４つ、ピン部材１５ｂが４つ設けられている。
【００３４】
また、図８に示すように、壁体７ｂ，９ｂの巻き終わりから、π（ｒａｄ）を一方の端板７ａ，９ａに設けられた壁体７ｂ，９ｂの条数で除した角度までの範囲では、壁体７ｂ，９ｂの背側（半径方向外側）が対応する壁体９ｂ，７ｂと接触しない。図８では、一方の端板７ａ，９ａに設けられた壁体７ｂ，９ｂ条数が２なので、π／２（９０°）の範囲では壁体７ｂ，９ｂの背側が対応する壁体９ｂ，７ｂと接触しない。図８には、この角度範囲が太線で示されている。したがって、この角度範囲にピン部材１５ｂを設けることが好ましい。
【００３５】
図９には、図８に示した角度範囲で、かつ、壁体７ｂ，９ｂの巻き終わりの位置を除いた位置にピン部材１５ｂを設けた変形例が示されている。このように壁体７ｂ，９ｂの巻き終わりの位置を除いた角度範囲にピン部材１５ｂを設けることで、ピン部材１５ｂをさらに中心側に位置させることができる。これにより、ピンリング機構１５を配置するために端板７ａ，９ａを大径化せざるを得ない状況を回避することで、端板７ａ，９ａを小さくすることができる。
【００３６】
なお、上述した実施形態では、リング部材１５ａとして玉軸受を用いて説明したが、すべり軸受としても良い。
【符号の説明】
【００３７】
１  両回転スクロール型圧縮機
３  ハウジング
３ａ  モータ収容部
３ｂ  スクロール収容部
３ｃ  冷却フィン
３ｄ  吐出口
５  モータ（駆動部）
５ａ  ステータ
５ｂ  ロータ
６  駆動軸
７  駆動側スクロール部材
７ａ  駆動側端板
７ｂ  駆動側壁体
７ｃ  駆動側軸部
９  従動側スクロール部材
９ａ  従動側端板
９ｂ  従動側壁体
９ｃ  従動側軸部
９ｄ  吐出ポート
１１  駆動側軸受
１３  従動側軸受
１５  ピンリング機構（同期駆動機構）
１５ａ  リング部材
１５ｂ  ピン部材
１６  リング部材設置穴
１６ａ  反壁体側穴部
１６ｂ  壁体側穴部
１７  突出部
Ｓ１  反壁体側表面
Ｓ２  壁体側表面
【図１】
2018100640.tif 000003
【図２】
2018100640.tif 000004
【図３】
2018100640.tif 000005
【図４】
2018100640.tif 000006
【図５】
2018100640.tif 000007
【図６】
2018100640.tif 000008
【図７】
2018100640.tif 000009
【図８】
2018100640.tif 000010
【図９】
2018100640.tif 000011